(57)【要約】【課題】合成樹脂製の案内レールを採用する遊技機において、遊技ホールで遊技球を磁石で入賞口に誘導し、入賞球を搾取する不正操作を防止する。【解決手段】遊技機（１０）は、遊技盤（１４）の遊技領域（Ｐ）に遊技球を案内する合成樹脂製の案内レール（２３）が設けられる。案内レール（２３）には、そのレール面に沿って、または案内レール（２３）の一部もしくは全部を構成するように磁性体としての帯板（４２）が設けられる。【選択図】図２
2010131444.tif 000002
【特許請求の範囲】
【請求項１】
遊技盤と、
この遊技盤の遊技領域に遊技球を案内する合成樹脂製の案内レールとを備えた遊技機において、
前記案内レールに沿って、または前記案内レールの一部もしくは全部を構成するように磁性体を設けることを特徴とする遊技機。
【発明の詳細な説明】
【技術分野】
【０００１】
本発明は、遊技機に関するもので、詳しくは、パチンコ機等のレール構造に関するものである。
【背景技術】
【０００２】
一般に、パチンコ機は、遊技領域に遊技球を案内するための案内レールを備えている。案内レールは、通常、遊技盤上に遊技領域を円弧状に仕切り、その下方位置から側方にかけて外レールと内レールとにより遊技球の案内通路を形成する。そして、この案内通路から遊技領域に遊技球を打ち出す。
このような案内レールの材質としては、ステンレス等の金属製のものが多いが、最近では、合成樹脂により案内レールを一体成形して、遊技盤への取付性を向上させたり、装飾性を高めたりするものが知られている。例えば、この種の遊技機としては特許文献１等が開示されている。
【先行技術文献】
【特許文献】
【０００３】
【特許文献１】特開平７−２５５９１０号公報
【発明の概要】
【発明が解決しようとする課題】
【０００４】
しかしながら、このように合成樹脂製の案内レールを採用する遊技機においては、遊技ホールで遊技球を磁石で入賞口に誘導し、入賞球を搾取する不正行為を受けやすくなるおそれがある。例えば不正者が遊技領域のアウト口付近でガラス枠越しに案内レール（内レール）上の遊技球に磁石を近づけると、遊技球が簡単に磁石に引き寄せられる。遊技球を磁石に引き寄せた状態で、ガラス面に沿って磁石を移動させると、遊技球がレール上に持ち上がって磁石とともに遊技領域を移動する。このような操作で遊技球を誘導して入賞口までもっていき、ガラス枠から磁石を引き離すと、遊技球が入賞口に落下することになる。
【０００５】
本発明は、このような現状に鑑みなされたもので、合成樹脂製の案内レールを備えた遊技機において、遊技球を磁石で誘導するという不正操作を防止する遊技機を提供することを目的としている。
【課題を解決するための手段】
【０００６】
［第１発明］
前記課題を解決するための本発明（第１発明）による遊技機は、遊技盤と、この遊技盤の遊技領域に遊技球を案内する合成樹脂製の案内レールとを備えた遊技機において、
前記案内レールに沿って、または前記案内レールの一部もしくは全部を構成するように磁性体を設けることを特徴としている。
【０００７】
本発明（第１発明）の遊技機によれば、合成樹脂製の案内レールに沿って、または案内レールの一部もしくは全部を構成するように磁性体が設けられるため、案内レール上の遊技球に磁石を近づけると、その磁力が磁性体部分と遊技球とに作用する。このため、磁石で遊技球を誘導しようとしても、磁性体と遊技球とが磁力で引き合い、この磁力が遊技球の移動の邪魔をする。この結果、磁石による遊技球の誘導という不正操作を未然に防止することが可能になる。
また、本発明（第１発明）の遊技機は、案内レールが合成樹脂によって形成されるため、遊技盤への案内レールの取付性を良好にすることができ、また、装飾性も高めることができる。つまり、合成樹脂製の案内レールを採用するメリットをそのまま生かすことができる。
【０００８】
［第２発明］
本発明（第２発明）による遊技機は、以下の構成を備えることを特徴としている。すなわち、
前記案内レールは、前記遊技盤上に遊技領域を仕切るように弧状に延び、かつ、この遊技領域下部のアウト口に遊技球を回収するものであり、しかも、このアウト口の周辺部には磁性体としての帯板が設けられることを特徴としている。
【０００９】
パチンコ機の遊技領域では、通常、遊技球が誘導釘に当たって跳ねながら下方に落下する。入賞口に入らずに遊技領域の下部に達した外れ球は、弧状の案内レールに案内されてアウト口周辺に集まってくる。アウト口周辺は、遊技領域の中で一番低い位置にあり、遊技球の動き（移動速度）が最も遅くなる場所であることから、このような場所では、磁石によって遊技球を引き寄せやすく、前述したような不正操作が行われやすい。
【００１０】
本発明（第２発明）の遊技機によれば、案内レールのアウト口周辺に磁性体としての帯板が設けられるため、遊技球の動き（移動速度）が最も遅くなるアウト口周辺で遊技球が磁石で引き寄せられても、帯板と遊技球とが磁力で引き合い、案内レールから遊技球を引き離す、すなわち外れ球を持ち上げて入賞口に誘導するような不正操作を効果的に防止することができる。
また、磁性体が帯板であるため、案内レールへの組み付けが簡単で、遊技機の製作コストを抑えやすくなる。
さらに、案内レールの薄型化を図りやすいため、近年の遊技装置の大型化に伴う遊技領域の拡大にも対応しやすい。
【００１１】
［第３発明］
本発明（第３発明）による遊技機は、前記案内レールのアウト口周辺部に前記帯板を挿入可能な横長溝を設けるとともに、この横長溝に沿って前記帯板を撓ませて嵌合させたことを特徴としている。
【００１２】
本発明（第３発明）によれば、案内レールの横長溝に磁性体の帯板を撓ませて嵌合する構成であるため、案内レールへの帯板の組み付けを極めて簡単に行うことができる。
また、案内レールの横長溝に帯板を収納するため、案内レールのレール面とともに、このような横長溝を合成樹脂により一体的に形成することができる。これにより、アウト口周辺部で遊技球が帯板の撓み状態に影響されることなく、滑らかにレール面を転がる。
【００１３】
［第４発明］
本発明（第４発明）による遊技機は、前記帯板の長さ方向の所定位置に、前記横長溝の溝幅よりも大きい屈曲部を形成したことを特徴としている。
【００１４】
本発明（第４発明）によれば、横長溝に帯板を嵌合する際、屈曲部が横長溝の溝幅に嵌るように弾性変形し、その弾性力で帯板が横長溝の溝面に押し当てられる。これにより、帯板が横長溝から外れにくくなり、装着性が向上する。
また、屈曲部が伸縮することにより、帯板の長さの微調整も可能になる。
さらに、横長溝に帯板を固定するための特別な工具などが不要で、組み付け作業の負担も少ない。
【００１５】
［第５発明］
本発明（第５発明）による遊技機は、前記横長溝の端部に、前記帯板の長さ方向および幅方向のズレを防止するストッパ口を形成し、かつ、前記帯板の端部には、前記ストッパ口に挿入可能な差込み片を設けたことを特徴としている。
【００１６】
本発明（第５発明）によれば、横長溝に帯板を組み付けると、横長溝のストッパ口で帯板の差込み片が止められ、帯板の長さ方向および幅方向のズレが防止される。これにより、案内レールから帯板に振動が伝わっても、横長溝内で帯板がズレる心配がなく、磁性体を常に安定した位置に保持しておくことができる。
なお、差込み片の板幅は、帯板の板幅よりも狭くするとよい。差込片の板幅が帯板の板幅以上であると、案内レールのレール幅に制限されて帯板の磁性体面積が小さくなりやすく、磁石による不正防止効果が薄れやすいためである。
【００１７】
［第６発明］
本発明（第６発明）による遊技機は、前記差込片が前記帯板の両端部に上下左右対称な形状で設けられることを特徴としている。
【００１８】
本発明（第６発明）によれば、帯板の両端部に上下左右対称な形状で差込み片が設けられるため、帯板を左右反転させても、差込み片がストッパ口に対し常に同じ向きになる。すなわち、帯板の両端部の差込片のうち、いずれの差込片であってもストッパ口に同じ向きで挿入することができる。これにより、ストッパ口に帯板の左右の向きを気にすることなく、横長溝に帯板を組み付けることができ、作業負担が軽減される。
【００１９】
［第１〜６発明］
本発明（第１〜６発明）は、遊技球のレール構造を有する各種遊技機に適用することができる。例えば、パチンコ機、アレンジボール機、雀球遊技機等の遊技機に適用すると効果的である。
本発明（第１〜６発明）は、必要に応じて単独で適用してもよいし、各発明を組み合わせて適用してもよい。また、本明細書に記載される他の発明を組み合わせてもよい。
【図面の簡単な説明】
【００２０】
【図１】本発明の実施形態による遊技機を示す斜視図である。
【図２】本発明の実施形態による遊技盤を示す正面図である。
【図３】本発明の実施形態によるレールユニットを示す斜視図である。
【図４】本発明の実施形態によるレールユニットを示す背面図である。
【図５】本発明の実施形態による外レールユニットを示す斜視図である。
【図６】本発明の実施形態による内レールユニットの下部を示すもので、（Ａ）は正面図、（Ｂ）は（Ａ）のＢ−Ｂ線縦断面図である。
【図７】本発明の実施形態による内レールユニットの下部を示すもので、（Ａ）は背面図、（Ｂ）はレール長さ方向の横断面図である。
【図８】本発明の実施形態による内レールユニットの帯板を示すもので、（Ａ）は展開平面図、（Ｂ）は展開側面図である。
【図９】磁石による遊技球の誘導例を説明するための作用説明図である。
【図１０】磁石による遊技球の誘導時の力関係を説明するための作用説明図である。
【図１１】本発明の実施形態における遊技球および内レールへの磁力の影響を説明するための作用説明図である。
【図１２】本発明の実施形態における遊技球に採用する磁力を説明するための作用説明図である。
【図１３】本発明の実施形態における遊技球の誘導時の力関係を説明するための作用説明図である。
【図１４】本発明の他の実施形態による内レールユニットの下部を示す正面図である。
【発明を実施するための形態】
【００２１】
以下、本発明の実施の形態を図面に基づいて説明する。本実施形態は、パチンコ機に本発明を適用したものである。
図１に示すように、パチンコ機１０は、基枠１２の正面にガラス枠１３が開閉可能に取り付けられる。ガラス枠１３の内側に遊技盤１４が設けられる。遊技盤１４の正面には、遊技領域Ｐを仕切る合成樹脂製のレールユニット２０が取り付けられている。
【００２２】
遊技盤１４の下方には、遊技球を発射させるハンドル１７が設けられる。ハンドル１７を操作すると、遊技球が発射レール１８に打ち出され、レールユニット２０の案内通路を通って遊技領域Ｐに放出される。
発射レール１８の上端の近傍には、回収口Ｋ1が設けられており、遊技領域Ｐに至らなかった遊技球は、この回収口Ｋ1に落下し、遊技盤１４下方の受け皿１９に回収される。
【００２３】
図２に示すように、レールユニット２０の内側の遊技領域Ｐには、遊技球の落下方向を規制する誘導釘（図示省略）が設けられ、これらの誘導釘の間に抽選図柄を表示する図柄表示装置２６、抽選図柄表示を開始させる始動口２７、一般入賞口２８、大当たり時に開閉して遊技球の入賞を促すアタッカ装置２９等が配置される。
遊技領域Ｐの下部であって、レールユニット２０の最下部には、アウト口Ｋ2が設けられる。遊技領域Ｐで入賞せずに落下する外れ球は、アウト口Ｋ2に集められることになる。
【００２４】
図３にレールユニット２０の拡大斜視図を示した。レールユニット２０は、外レールユニット２１、中間レールユニット２２、および内レールユニット２３がほぼ円弧状に連結されてなる。外レールユニット２１は、遊技盤１４の下部中央から左側端部を通って遊技盤１４の上端部に延び、その先端は遊技盤１４の右側端部付近まで達する。中間レールユニット２２は、遊技盤１４の右側端部を通って遊技盤１４の下部中央まで延びる。そして、内レールユニット２３は、遊技盤１４の下部中央から外レールユニット２１の内側に沿って延びている。そして、外レールユニット２１と内レールユニット２３との間に遊技球の案内通路が形成される。
【００２５】
外レールユニット２１と中間レールユニット２２との連結部には、舌片２１ａ、２２ａが設けられており、これらの舌片２１ａ、２２ａが重なって結合ピンにより連結される。また、中間レールユニット２２と内レールユニット２３との連結部には、互いに重なる舌片２２ｂ、２３ｂが設けられ、同様に結合ピンで連結される。
【００２６】
レールユニット２０の外側であって遊技盤１４のコーナ部分には、電飾等を施したコーナ飾り（図示省略）が設けられる。このようにレールユニット２０とコーナ飾りとを別ユニットとすることで、レールユニット２０を複数の機種に適用することができ、レール部品（標準品）として効率的に製造・管理することができる。
【００２７】
図４および図５に示すように、レールユニット２０の裏側には、圧入ピン３５ａ〜３５ｆが一体成形される。圧入ピン３５ａ〜３５ｆのピン軸は、ユニット裏面にほぼ垂直に延びている。各圧入ピン３５ａ〜３５ｆの長さは、遊技盤１４の厚さより短い。
【００２８】
圧入ピン３５ａ〜３５ｆの配置は、外レールユニット２１に５本（圧入ピン３５ａ〜３５ｅ、図５参照）、内レールユニット２３に１本（圧入ピン３５ｆ、図４参照）設けられている。すなわち、圧入ピン３５ａは外レールユニット２１のレール始端部、圧入ピン３５ｂは同ユニット２１のレール側端部、圧入ピン３５ｃおよび３５ｄは、同ユニット２１のレール上端中央部であって、くびれ部４０の両側付近、圧入ピン３５ｅは同ユニット２１の終端部にそれぞれ配置される。また、圧入ピン３５ｆは内レールユニット２３の下方側末端であって、中間レールユニット２２との連結部付近に配置される。
なお、中間レールユニット２２には、圧入ピンは設けられておらず、外レールユニット２１と内レールユニット２３との連結部のみで支持可能になっている。これにより、中間レールユニット２２の組み付け作業性が高められている。
【００２９】
レールユニット２０は、外レールユニット２１，中間レールユニット２２，および内レールユニット２３を連結した状態で遊技盤１４に固定される。この場合、遊技盤１４の所定の取付穴に圧入ピン３５ａ〜３５ｆを押し込む。これにより、ワンタッチで遊技盤１４にレールユニット２０を固定することができる。
【００３０】
なお、前記実施形態において、遊技盤１４にレールユニット２０を固定するための固定手段として、圧入ピン３５ａ〜３５ｆの他にビス等を用いることも可能である。例えば内レールユニット２３の先端（上端）をネジによって遊技盤１４に固定してもよい。
【００３１】
レールユニット２０のうち、外レールユニット２１、中間レールユニット２２および内レールユニット２３（アウト口Ｋ2周辺）の内部は中空になっており（図４参照）、これらの中空部Ｑが仕切板３９で仕切られる。このようにレールユニット２０に中空部Ｑを設けることにより各ユニット２１，２２，２３の軽量化が図られる。また、中空部Ｑに仕切板３９を設けることにより、これらのユニット２１，２２，２３の機械的な強度が高められる。なお、レールホルダの中空部Ｑに電飾等を取り付けることで、遊技盤１４の装飾効果を高めてもよい。
【００３２】
次に、内レールユニット２３の構造について説明する。
図６に示すように、内レールユニット２３は、非磁性体である合成樹脂製のレール本体４１と、磁性金属製の帯板４２とを備えている。磁性金属としては、例えばクロム系ステンレス鋼（ＳＵＳ４３０等）などの錆びにくく、磁界内で強い磁性を示すものを選択する。
レール本体４１のアウト口Ｋ2の周辺部には帯板４２が組み込まれている。レール本体４１のレール面に沿って帯板４２の板面が延びる（図６（Ｂ）参照）。これにより、レール本体４１のレール上であって、アウト口Ｋ2の周辺部に磁石を近づけると、帯板４２に磁石が引き寄せられることになる。
【００３３】
図８に帯板４２の展開図を示した。
帯板４２は、その長さ方向の中央に台形のアーチ部４３が形成され、このアーチ部４３の両側（図８上下方向）にほぼ均等な長さで板面が直線状に延びている。帯板４２の所定の長さ位置には、その板面をＶ字形に折り曲げてなる屈曲部４４ａ，４４ｂが設けられ、これらの屈曲部４４ａ，４４ｂは、後述するレール本体４１裏側の横長溝Ｓ1，Ｓ2（図７参照）の溝幅よりわずかに大きい。そして、帯板４２の両端部には、後述のストッパ口Ｔ（図７参照）に挿入可能な差込片４５ａ，４５ｂが形成されている。帯板４２をその平面方向から見ると、上下左右対称（帯板４２の中心に対して点対称）な形状になっている。
【００３４】
ここで、差込片４５ａ，４５ｂの板幅については、帯板４２の板幅よりも十分に狭くなるように設定される。これにより、帯板４２の板幅よりもストッパ口Ｔ（図７参照）の幅を小さくすることが可能になり、帯板４２の板幅をレール幅により近づけるように広く確保することができる。
【００３５】
図７（Ａ）に示すように、レール本体４１の裏面には、レール長さ方向に横長溝Ｓ1，Ｓ2が設けられている。アウト口Ｋ2の左右にほぼ均等な長さで横長溝Ｓ1，Ｓ2が延びる。横長溝Ｓ1，Ｓ2の一端から他端までの長さは、帯板４２の長さとほぼ一致する。横長溝Ｓ1，Ｓ2は、アウト口Ｋ2の下方の空洞部Ｑによって空間的に繋がっており、これらの横長溝Ｓ1，Ｓ2および空洞部Ｑによって形成される隙間に帯板４２が撓んだ状態で挿入される。
【００３６】
図７（Ｂ)に示すように、横長溝Ｓ1，Ｓ2のうち一方の横長溝Ｓ1の端部には、ストッパ口Ｔが形成される。ストッパ口Ｔは、レール本体４１を樹脂成形する際に一体に形成されるものである。
ストッパ口Ｔには、帯板４２の差込片４３ａ，４３ｂが挿入される。ストッパ口Ｔで差込片４３ａ，４３ｂを止めることで、帯板４２の長さ方向および幅方向のズレが防止される。
【００３７】
レール本体４１に帯板４２を組み付ける場合、まず、アウト口Ｋ2下方の空洞部Ｑに帯板４２のアーチ部４３が収まるように帯板４２の表裏の向きを揃え、差込片４５ａ，４５ｂのうち何れか一方を横長溝Ｓ1のストッパ口に差し込む（図７（Ｂ）参照）。次いで、横長溝Ｓ1、空洞部Ｑ、横長溝Ｓ2に帯板４２を順に撓ませながら挿入する。このとき、屈曲部４４ａ，４４ｂがそのままの形状であると、横長溝Ｓ1，Ｓ2に嵌らないため、屈曲部４４ａ，４４ｂを伸ばすように若干弾性変形させて横長溝Ｓ1，Ｓ2に押し込む。
これにより、図７に示すように、帯板４２が横長溝Ｓ1，Ｓ2に一方の端から他方の端まで完全に収まることになる。
【００３８】
本実施形態によれば、帯板４２の両端部に差込片４５ａ，４５ｂが上下左右対称な形状になっているため、帯板４２の表裏の向きさえ合わせておけば、差込片４５ａ，４５ｂのうちいずれであってもストッパ口Ｔに収めることができる。すなわち、帯板４２の左右の向きを気にすることなく、横長溝Ｓ1，Ｓ2に帯板４２を挿入することができる。この結果、ユニット本体４１へ帯板４２の組み付け作業が簡単になり、作業者の負担が大幅に軽減される。
【００３９】
また、横長溝Ｓ1，Ｓ2に屈曲部４４ａ，４４ｂを嵌め込むと、屈曲部４４ａ，４４ｂの先端が横長溝Ｓ1，Ｓ2のそれぞれ一方の溝側面に当たり、他方の溝面に帯板４２を押し当てるように作用するので、横長溝Ｓ1，Ｓ2内で帯板４２の取付状態が安定し、帯板４２のガタ付きが防止される。また、特別な工具を用いることなく、レール本体４１と帯板４２との固定強度を高めることができる。
【００４０】
次に、パチンコ機１０の磁石による遊技球の誘導防止作用について説明する。
まず、本実施形態の作用を説明する前に、磁性体を備えていない合成樹脂製の案内レール（比較例）の問題点を説明する。
【００４１】
図９に示すように、比較例によるパチンコ機の基本的な構成は、本実施形態のパチンコ１０と同一である。比較例は、内レールユニット２３に帯板が組み込まれていない点で本実施形態とは異なっている。
【００４２】
比較例において、遊技領域Ｐの遊技球にガラス枠の外側からガラス越しに磁石Ｍを当てると、その磁石Ｍに遊技球が引き寄せられる。例えば、アウト口Ｋ2の周辺に達した移動速度の遅い遊技球に磁石Ｍを当てると、Ｂ1位置で遊技球の動きを比較的簡単に止めることができる。アウト口Ｋ2の周辺で遊技球を引き寄せた後、磁石Ｍを矢印ａ方向に移動させると、Ｂ2位置に遊技球が移動する。次いで、磁石Ｍを矢印ｂ方向に引き上げると、内レールユニット２３のレール面から遊技球が持ち上がってＢ3位置に来る。そして、矢印ｃ方向に磁石Ｍを移動させ、遊技球を始動口２７真上のＢ4位置まで持っていき、磁石Ｍをガラス枠から遠ざければ、遊技球に磁力が作用しなくなり、始動口２７に遊技球が入り込むことになる。
【００４３】
このように磁石Ｍによって遊技球を不正に誘導する場合に、内レールユニット２３のレール面から遊技球を持ち上げる力は図１０に示される。なお、図１０において、説明の便宜上、５１は遊技盤、５２は案内レール、５３はガラス枠（二枚ガラス構造）、Ｂは遊技球、Ｍは永久磁石とし、案内レール５２は合成樹脂製の非磁性体であって、比較例の内レールユニット２３に相当するものとする。
案内レール５２上の遊技球Ｂを磁石Ｍでガラス枠５３越しに引き寄せているときは、図１０に実線でに示すように、磁石Ｍに対してほぼ水平な位置で遊技球Ｂが静止している。この状態から矢印ｄに示すように、磁石Ｍを上方に持ち上げると、磁石Ｍと遊技球Ｂとの垂直方向のズレに応じて磁石Ｍから遊技球Ｂの間に斜め方向の吸引力ｍ0が働く。吸引力ｍ0は、図１０に示す水平方向の分力ｘ0と垂直方向の分力ｙ0とに分けられる。そして、垂直方向の分力ｙ0が遊技球Ｂの重力よりも大きく、かつ、遊技球Ｂとガラス枠５３との摩擦力に打ち勝つと、遊技球Ｂが上方に持ち上がり、図１０破線に示すように、磁石Ｍと同じ高さの位置まで動くことになる。なお、このとき、案内レール５２は、非磁性体であるので、磁石Ｍによる磁力の影響を受けない。
【００４４】
これに対し、本実施形態のごとく、案内レール５２に磁性体の帯板４２が組み込まれている場合には、図１１に示すように、磁石Ｍの磁力が遊技球Ｂと帯板４２の両方に作用し、Ｓ極とＮ極とが交互に並んで磁石Ｍ、遊技球Ｂおよび帯板４２の三者間に磁力（吸引力）が働く。なお、遊技球Ｂと帯板４２との間には、合成樹脂製のレール本体４１の一部が介在するが、その厚みを過度に大きくしなければ遊技球Ｂと帯板４２との間に十分な磁力が作用する。
このとき、遊技球Ｂに働く磁力についてみれば、図１２に示すように、磁石Ｍから水平方向の吸引力ｍ1で引き寄せられ、かつ、帯板４２から垂直方向の吸引力ｍ2で引き寄せられることになる。
【００４５】
そして、図１２の状態から磁石Ｍを比較例と同様にガラス枠５３越しに上方に持ち上げるときには、遊技球Ｂに対し図１３に示すような力関係が生じる。すなわち、第１に、図１０で説明したのと同様に、磁石Ｍから遊技球Ｂに作用する吸引力ｍ0によって垂直方向に持ち上がる分力ｙ0が働く。第２に、帯板４２から遊技球Ｂに垂直方向に引き寄せる吸引力ｍ2が働く。分力ｙ0と吸引力ｍ2との関係は、遊技球Ｂと磁石Ｍとがガラス越しの位置関係にあり、吸引力ｍ0が垂直方向よりも水平方向に近い方向に向くため、通常は、分力ｙ0＜吸引力ｍ2の関係になる。また、吸引力ｍ2の大きさは、磁性体である帯板４２の材質に基づく磁化のされやすさに依存するが、本実施形態のクロム系ステンレス鋼のような強い磁性を示す材質を用いる場合、ｍ1に比較して幾分か小さくなる程度の磁力（吸引力）を奏する。
【００４６】
案内レール５２から遊技球Ｂを引き離すためには、分力ｙ0が吸引力ｍ2より大きくなり、しかも、遊技球Ｂの重力とガラス枠５３の摩擦力とに打ち勝つことが必要になる。しかしながら、分力ｙ0と吸引力ｍ2との間には、前述したような関係があるため、このような条件を満たすことは考えにくい。磁石の種類を換えて磁力を大きくしても、磁力の大きさに応じてｍ2も変化するため、結果は同じである。この結果、磁石Ｍを矢印ｄ方向に移動させても、内レール上に遊技球Ｂを持ち上げることは困難になる。
【００４７】
このように本実施形態によれば、内レールユニット２３のアウト口Ｋ2の周辺部に磁性体からなる帯板４２を組み込むことによって、アウト口Ｋ2に集まる遊技球を磁石で入賞口へ誘導するような不正操作を未然に防止することができる。これにより、不正行為の行いにくい信頼性の高いパチンコ機１０を提供することが可能になる。
【００４８】
次に、本発明の他の実施形態を図１４に示す。
図１４に示す内レールユニット６０は、合成樹脂製のレール本体６１のレール面にステンレス製（磁性体）の帯板６２を取り付ける凹溝Ｓ3を形成している。凹溝Ｓ3の溝面に帯板６２が固定されている。レール本体６１のレール面は帯板６２の板面に連なり、両者の繋ぎ目に段差が生じないように調整されている。
このように内レールユニット６０のレール面に帯板６２を露出させると、アウト口Ｋ2周辺部で遊技球に磁石を近づけたとき、帯板６２から遊技球に作用する磁力がより強いものになり、内レールユニット６０の上方に遊技球をさらに持ち上げにくくすることができる。また、アウト口Ｋ2周辺部のレール面の強度が増し、内レールユニット６０の耐久性を高めることができる。
【００４９】
前記実施形態を説明したが、本発明の実施形態はこれらに限られることなく、種々の変更を伴ってもよい。
例えば、内レールユニットの下面に帯板を固定することも可能である。また、内レールユニットのアウト口周辺部から側方に向けて帯板を延長させてもよい。
また、前記実施形態では、平板状の磁性体を採用しているが、本発明では磁性体の形状は特に限定されることなく、例えば、網目状、波板状等の磁性体を採用する他、磁性体の針金を並べるように内レールユニットに組み込んでもよい。さらに、内レールユニットを形成する樹脂材料に磁性体を混合させることも可能である。
【符号の説明】
【００５０】
１０    遊技機
１２    基枠
１３    ガラス枠
１４    遊技盤
１７    ハンドル
１８    発射レール
１９    受け皿
２０    レールユニット（案内レール）
２１    外レールユニット（案内レール）
２２    中間レールユニット（案内レール）
２３    内レールユニット（案内レール）
４１    レール本体
４２    帯板（磁性体）
４３    アーチ部
４４ａ、４４ｂ  屈曲部
４５ａ、４５ｂ  差込片
Ｋ1    回収口
Ｋ2    アウト口
Ｐ     遊技領域
Ｓ1、Ｓ2  横長溝
Ｑ     空洞部
Ｔ     ストッパ口
Ｍ     磁石
【図１】
2010131444.tif 000003
【図２】
2010131444.tif 000004
【図３】
2010131444.tif 000005
【図４】
2010131444.tif 000006
【図５】
2010131444.tif 000007
【図６】
2010131444.tif 000008
【図７】
2010131444.tif 000009
【図８】
2010131444.tif 000010
【図９】
2010131444.tif 000011
【図１０】
2010131444.tif 000012
【図１１】
2010131444.tif 000013
【図１２】
2010131444.tif 000014
【図１３】
2010131444.tif 000015
【図１４】
2010131444.tif 000016
【手続補正書】
【提出日】平成22年4月13日(2010.4.13)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域を仕切るレールと、
前記遊技領域の前方に配置されたガラス板と、
前記遊技領域に設けられ、遊技球が入賞可能な入賞口と、
前記入賞口に入賞しなかった遊技球が集められ、前記レールに沿って形成されたアウト口と
を備え、前記遊技盤への取付性を向上させるべく前記レールが樹脂で形成された遊技機であって、
前記レールは、
樹脂で形成されているにもかかわらず、前記アウト口近傍において前記ガラス板越しに磁石が近づけられたときに、当該アウト口近傍の遊技球に対して当該レールに向けた吸引力を作用させるべく、少なくとも前記アウト口近傍において磁性を有しており、
前記ガラス板越しに磁石が近づけられたとしても、前記アウト口近傍の遊技球を前記入賞口に誘導するといった不正を未然に防止できるようにした
ことを特徴とする遊技機。
【請求項２】
前記レールは、
前記アウト口近傍において磁性金属製の帯板を有する
請求項１に記載の遊技機。
【請求項３】
前記磁性金属製の帯板は、クロム系ステンレスである
請求項２に記載の遊技機。
【手続補正２】
【補正対象書類名】明細書
【補正対象項目名】０００６
【補正方法】変更
【補正の内容】
【０００６】
請求項１に記載の遊技機は、遊技領域が形成された遊技盤と、前記遊技領域を仕切るレールと、前記遊技領域の前方に配置されたガラス板と、前記遊技領域に設けられ、遊技球が入賞可能な入賞口と、前記入賞口に入賞しなかった遊技球が集められ、前記レールに沿って形成されたアウト口とを備え、前記遊技盤への取付性を向上させるべく前記レールが樹脂で形成された遊技機であって、前記レールは、樹脂で形成されているにもかかわらず、前記アウト口近傍において前記ガラス板越しに磁石が近づけられたときに、当該アウト口近傍の遊技球に対して当該レールに向けた吸引力を作用させるべく、少なくとも前記アウト口近傍において磁性を有しており、前記ガラス板越しに磁石が近づけられたとしても、前記アウト口近傍の遊技球を前記入賞口に誘導するといった不正を未然に防止できるようにしたことを要旨とする。
請求項２に記載の遊技機は、請求項１に記載の遊技機において、前記レールは、前記アウト口近傍において磁性金属製の帯板を有することを要旨とする。
請求項３に記載の遊技機は、請求項２に記載の遊技機において、前記磁性金属製の帯板は、クロム系ステンレスであることを要旨とする。
【手続補正３】
【補正対象書類名】明細書
【補正対象項目名】０００７
【補正方法】変更
【補正の内容】
【０００７】
［第１発明］
前記課題を解決するための本発明（第１発明）による遊技機は、遊技盤と、この遊技盤の遊技領域に遊技球を案内する合成樹脂製の案内レールとを備えた遊技機において、
前記案内レールに沿って、または前記案内レールの一部もしくは全部を構成するように磁性体を設けることを特徴としている。
本発明（第１発明）の遊技機によれば、合成樹脂製の案内レールに沿って、または案内レールの一部もしくは全部を構成するように磁性体が設けられるため、案内レール上の遊技球に磁石を近づけると、その磁力が磁性体部分と遊技球とに作用する。このため、磁石で遊技球を誘導しようとしても、磁性体と遊技球とが磁力で引き合い、この磁力が遊技球の移動の邪魔をする。この結果、磁石による遊技球の誘導という不正操作を未然に防止することが可能になる。
また、本発明（第１発明）の遊技機は、案内レールが合成樹脂によって形成されるため、遊技盤への案内レールの取付性を良好にすることができ、また、装飾性も高めることができる。つまり、合成樹脂製の案内レールを採用するメリットをそのまま生かすことができる。